【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
設定可能な帯域幅を使用して通信するための方法であって、
サービング進化型ノードＢ（ｅＮＢ）から制御チャネルを、ユーザ機器（ＵＥ）において、受信することと、ここにおいて、前記制御チャネルは、アロケーションスペースにおいてアップリンク共有データチャネルのためのリソースグラントを含む、ここにおいて、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームのスロットを形成する複数のシンボルにわたって前記周波数ドメインにおける前記複数のリソースブロックグループに含まれるいくつかのリソースブロックグループを示す、
前記複数のシンボルの少なくとも第１の部分にわたって前記いくつかのリソースブロックグループにおける前記アップリンク共有データチャネルにおいてデータを、前記ＵＥによって、送信することと、
前記アロケーションスペースにおける１つまたは複数の復調基準信号（ＤＭ−ＲＳ）を送信するための前記複数のシンボルのうちの１つのシンボルを決定することと、ここで、前記シンボルは、ＤＭ−ＲＳを送信するために複数のＵＥによって使用される、ここにおいて、前記１つまたは複数のＤＭ−ＲＳを送信するための前記シンボルを決定することは、前記リソースグラントにおいて示される前記アップリンク共有データチャネル内の前記シンボルの時間ドメインロケーションのインジケーションに少なくとも部分的に基づく、ここにおいて、前記インジケーションは、前記サービングｅＮＢから前記制御チャネルにおいて受信される、
前記シンボル内の前記いくつかのリソースブロックグループにおいて前記１つまたは複数のＤＭ−ＲＳを送信することと、
を備える、方法。
【請求項２】
前記いくつかのリソースブロックグループは、ガード期間からの１つまたは複数のシンボルである第１のシンボルにあるスターティングリソースブロックグループを含む、請求項１に記載の方法。
【請求項３】
前記アップリンク共有データチャネルの少なくとも１つの部分において制御データを、前記ＵＥによって、送信することをさらに備える、請求項１に記載の方法。
【請求項４】
前記アップリンク共有データチャネルにおいて前記制御データを送信するために前記サービングｅＮＢからインジケータを、前記ＵＥによって、受信することをさらに備える、請求項３に記載の方法。
【請求項５】
前記シンボルは、ガード期間の後であり、前記アロケーションスペースの第１のシンボルの前である、請求項１に記載の方法。
【請求項６】
前記ＵＥにおいて、および前記サービングｅＮＢから、アップリンク制御チャネルのためのスタートインジケータおよび／または帯域幅のインジケーションを受信することと、
前記スタートインジケータから前記スロットの終わりまで、第１の持続期間の間に、および前記帯域幅にわたって前記アップリンク制御チャネルにおいて制御データを、前記ＵＥによって、送信することと、
をさらに備える、請求項１に記載の方法。
【請求項７】
前記インジケーションに基づいて、前記アップリンク共有データチャネルのための前記アロケーションスペースにおけるスターティングリソースブロックグループから開始する前記複数のリソースブロックグループを決定することをさらに備え、前記アップリンク制御チャネルのための前記帯域幅は、前記アップリンク共有データチャネルのための前記アロケーションスペースに対応する前記複数のシンボルの１つの部分における前記複数のリソースブロックグループのリソースブロックの少なくとも１つの部分と、前記スロットにおける最後のリソースブロックグループのリソースブロックの少なくとも別の部分とを、備える、請求項６に記載の方法。
【請求項８】
前記複数のシンボルの前記部分の第１のシンボルは、前記アップリンク共有データチャネルのための前記アロケーションスペースの第１のシンボルから少なくともしきい値数のシンボルだけ遅延される、請求項７に記載の方法。
【請求項９】
前記複数のシンボルの複数の前記部分は、前記アップリンク共有データチャネルのための前記アロケーションスペースのサイズに対応する、請求項７に記載の方法。
【請求項１０】
リソースブロックの前記部分は、前記サービングｅＮＢから１つの構成において受信される前記アップリンク制御チャネルの第２の持続時間に対応する、請求項７に記載の方法。
【請求項１１】
前記複数のシンボルの前記部分は、前記スロットにおける最後のシンボルを備え、前記制御データを送信することは、前記サービングｅＮＢから１つの構成において受信されるインジケーションに基づいて前記最後のシンボルにおける１つまたは複数のリソースブロックグループのリソースブロックにおいて前記制御データを送信することを備える、請求項７に記載の方法。
【請求項１２】
前記アップリンク制御チャネルのための前記帯域幅は、前記アップリンク共有データチャネルのための前記アロケーションスペースに対応する前記複数のシンボルの第２の部分における前記複数のリソースブロックグループの少なくとも第２の部分と、前記複数のシンボルの前記第２の部分における前記複数のリソースブロックグループの少なくとも別の第２の部分と、を備える早期帯域幅をさらに備える、請求項７に記載の方法。
【請求項１３】
前記リソースグラントは、ダウンリンク共有データチャネルおよび前記アップリンク共有データチャネルに関わるリソースを示し、ここにおいて、前記制御データを送信することは、前記ダウンリンク共有データチャネル上で受信されるデータに関わる肯定応答／否定応答を示すための第１の循環シフト、または、前記アップリンク共有データチャネル上のリソースに対するスケジューリング要求を示すための第２の循環シフト、のうちの少なくとも１つを使用して前記制御データを送信することを備える、請求項６に記載の方法。
【請求項１４】
前記リソースグラントは、前記アップリンク共有データチャネルに関わるリソースを示し、ここにおいて、前記制御データを送信することは、前記アップリンク共有データチャネルにおけるリソースに対するスケジューリング要求を示すための第１の循環シフト、または、チャネル品質インジケータを送信することの要求を示すための第２の循環シフト、のうちの少なくとも１つを使用して、前記制御データを、前記ＵＥによって、送信することを備える、請求項６に記載の方法。
【請求項１５】
前記制御データを送信することは、パイロット信号を示すための第１の循環シフト、または、前記アップリンク共有データチャネルにおけるリソースに対するスケジューリング要求を示すための第２の循環シフト、のうちの少なくとも１つを使用して前記制御データを、前記ＵＥによって、送信することを備える、請求項６に記載の方法。
【請求項１６】
前記サブフレームの第１の部分において前記サービングｅＮＢからチャネル状態情報（ＣＳＩ）基準信号（ＣＳＩ−ＲＳ）を、前記ＵＥによって、受信することをさらに備え、前記制御データを送信することは、前記スロットにおける前記アップリンク制御チャネルにおいて前記ＣＳＩ−ＲＳに関わるＣＳＩフィードバックを送信することを含む、ここにおいて、前記スロットは、前記サブフレームの第２の部分である、請求項６に記載の方法。
【請求項１７】
前記サブフレームの第１の部分において前記サービングｅＮＢからＣＳＩ−ＲＳを受信することと、
前記スロットにおける前記アップリンク共有データチャネルにおいて前記ＣＳＩ−ＲＳに関わるＣＳＩフィードバックを送信することと、ここにおいて、前記スロットは、前記サブフレームの第２の部分である、
をさらに備える、請求項６に記載の方法。
【請求項１８】
前記アップリンク共有データチャネルにおいて前記ＣＳＩフィードバックを送信することは、前記アップリンク共有データチャネルが前記アップリンク制御チャネルと衝突することを決定することに少なくとも部分的に基づく、請求項１７に記載の方法。
【請求項１９】
設定可能な帯域幅を使用して通信するための装置であって、
トランシーバと、
メモリと、
前記トランシーバおよび前記メモリに通信可能に結合された少なくとも１つのプロセッサとを備え、ここにおいて、前記少なくとも１つのプロセッサは、
サービング進化型ノードＢ（ｅＮＢ）から制御チャネルを受信することと、ここにおいて、前記制御チャネルは、アロケーションスペースにおいてアップリンク共有データチャネルのためのリソースグラントを含む、ここにおいて、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームのスロットを形成する複数のシンボルにわたって前記周波数ドメインにおける前記複数のリソースブロックグループに含まれるいくつかのリソースブロックグループを示す、
前記複数のシンボルの少なくとも第１の部分にわたって前記いくつかのリソースブロックグループにおける前記アップリンク共有データチャネルにおいてデータを送信することと、
前記アロケーションスペースにおける１つまたは複数の復調基準信号（ＤＭ−ＲＳ）を送信するための前記複数のシンボルのうちの１つのシンボルを決定することと、ここで、前記シンボルは、ＤＭ−ＲＳを送信するために複数のＵＥによって使用される、ここにおいて、前記少なくとも１つのプロセッサは、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の前記いくつかのリソースブロックグループにおいて前記１つまたは複数のＤＭ−ＲＳを送信することと、
を行うように構成される、装置。
【請求項２０】
前記複数のリソースブロックグループは、ガード期間からの１つまたは複数のシンボルである第１のシンボルにあるスターティングリソースブロックグループを含む、請求項１９に記載の装置。
【請求項２１】
前記少なくとも１つのプロセッサは、前記アップリンク共有データチャネルの少なくとも１つの部分において制御データを送信するようにさらに構成される、請求項１９に記載の装置。
【請求項２２】
前記少なくとも１つのプロセッサは、前記アップリンク共有データチャネルにおいて前記制御データを送信するために前記サービングｅＮＢからインジケータを受信するようにさらに構成される、請求項２１に記載の装置。
【請求項２３】
設定可能な帯域幅を使用して通信するための装置であって、
サービング進化型ノードＢ（ｅＮＢ）から制御チャネルを、ユーザ機器（ＵＥ）において、受信するための手段と、ここにおいて、前記制御チャネルは、アロケーションスペースにおいてアップリンク共有データチャネルのためのリソースグラントを含む、ここにおいて、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームのスロットを形成する複数のシンボルにわたって前記周波数ドメインにおける前記複数のリソースブロックグループに含まれるいくつかのリソースブロックグループを示す、
前記複数のシンボルの少なくとも第１の部分にわたって前記いくつかのリソースブロックグループにおける前記アップリンク共有データチャネルにおいてデータを、前記ＵＥによって、送信するための手段と、
前記アロケーションスペースにおける１つまたは複数の復調基準信号（ＤＭ−ＲＳ）を送信するための前記複数のシンボルのうちの１つのシンボルを決定するための手段と、ここで、前記シンボルは、ＤＭ−ＲＳを送信するために複数のＵＥによって使用される、ここにおいて、前記決定するための手段は、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の前記いくつかのリソースブロックグループにおいて前記１つまたは複数のＤＭ−ＲＳを送信するための手段と、
を備える、装置。
【請求項２４】
前記いくつかのリソースブロックグループは、ガード期間からの１つまたは複数のシンボルである第１のシンボルにあるスターティングリソースブロックグループを含む、請求項２３に記載の装置。
【請求項２５】
設定可能な帯域幅を使用して通信するためのコンピュータ実行可能コードを記憶する非一時的コンピュータ可読媒体であって、前記コンピュータ実行可能コードは、
サービング進化型ノードＢ（ｅＮＢ）から制御チャネルを、ユーザ機器（ＵＥ）において、受信するためのコードと、ここにおいて、前記制御チャネルは、アロケーションスペースにおいてアップリンク共有データチャネルのためのリソースグラントを含む、ここにおいて、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームのスロットを形成する複数のシンボルにわたって前記周波数ドメインにおける前記複数のリソースブロックグループに含まれるいくつかのリソースブロックグループを示す、
前記複数のシンボルの少なくとも第１の部分にわたって前記いくつかのリソースブロックグループにおける前記アップリンク共有データチャネルにおいてデータを、前記ＵＥによって、送信するためのコードと、
前記アロケーションスペースにおける１つまたは複数の復調基準信号（ＤＭ−ＲＳ）を送信するための前記複数のシンボルのうちの１つのシンボルを決定するためのコードと、ここで、前記シンボルは、ＤＭ−ＲＳを送信するために複数のＵＥによって使用される、ここにおいて、決定するための前記コードは、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の前記いくつかのリソースブロックグループにおいて前記１つまたは複数のＤＭ−ＲＳを送信するためのコードと、
を備える、非一時的コンピュータ可読媒体。
【請求項２６】
前記いくつかのリソースブロックグループは、ガード期間からの１つまたは複数のシンボルである第１のシンボルにあるスターティングリソースブロックグループを含む、請求項２５に記載の非一時的コンピュータ可読媒体。
【請求項２７】
前記シンボルは、ガード期間の後であり、前記アロケーションスペースの第１のシンボルの前である、請求項１９に記載の装置。
【請求項２８】
前記少なくとも１つのプロセッサは、
前記サービングｅＮＢから、アップリンク制御チャネルのためのスタートインジケータおよび／または帯域幅のインジケーションを受信することと、
前記スタートインジケータから前記スロットの終わりまで、第１の持続期間の間に、および前記帯域幅にわたって前記アップリンク制御チャネルにおいて制御データを送信することと、
を行うようにさらに構成される、請求項１９に記載の装置。
【請求項２９】
前記少なくとも１つのプロセッサは、前記インジケーションに基づいて、前記アップリンク共有データチャネルのための前記アロケーションスペースにおけるスターティングリソースブロックグループから開始する前記複数のリソースブロックグループを決定するようにさらに構成され、前記アップリンク制御チャネルのための前記帯域幅は、前記アップリンク共有データチャネルのための前記アロケーションスペースに対応する前記複数のシンボルの１つの部分における前記複数のリソースブロックグループのリソースブロックの少なくとも１つの部分と、前記スロットにおける最後のリソースブロックグループのリソースブロックの少なくとも別の部分とを、備える、請求項２８に記載の装置。
【請求項３０】
前記複数のシンボルの前記部分の第１のシンボルは、前記アップリンク共有データチャネルのための前記アロケーションスペースの第１のシンボルから少なくともしきい値数のシンボルだけ遅延される、請求項２９に記載の装置。